(57)【要約】【課題】携帯機器を使用者の何れの手首に装着した場合にも、他方の手によるバンドの側面の操作ボタンの操作性を損なわない。【解決手段】携帯機器１０は、手首に巻きつけられるバンド部２０と、バンド部２０に設けられた本体部３０と、本体部３０を挟んで設けられた第１の表示部４０及び第２の表示部５０と、本体部３０及びバンド部２０の少なくとも一方の側面の少なくとも一方に操作ボタン３３とを備えている。【選択図】図１
2020085736.tif 000002
【特許請求の範囲】
【請求項１】
使用者の手首に装着して使用される携帯機器であって、
使用者の手首に巻きつけられる帯状のバンド部と、
上記携帯機器の駆動制御を行う制御部を有し、上記バンド部に設けられた本体部と、
上記本体部を挟んで上記バンド部に設けられた２つの表示部と、
上記バンド部において上記本体部及び上記表示部が設けられた面を正面とした場合、上記本体部及び上記バンド部の少なくとも一方の側面の少なくとも一方に、上記制御部の駆動制御処理に対して入力する操作ボタンと
を備えていることを特徴とする携帯機器。
【請求項２】
上記制御部は、左右何れの手首に装着するのかに関する使用者からの入力に応じて、上記２つの表示部のうち、使用者の親指から遠い側の表示部の電源を切る制御を行うことを特徴とする請求項１に記載の携帯機器。
【請求項３】
上記制御部は、左右何れの手首に装着するのかに関する使用者からの入力に応じて、上記２つの表示部のうち、使用者の親指から遠い側の表示部において、上記本体部側に画像の下側を表示する制御を行うと共に、使用者の親指に近い側の表示部において、上記本体部側に画像の上側を表示する制御を行うことを特徴とする請求項１又は２に記載の携帯機器。
【請求項４】
上記操作ボタンは、上記本体部及び上記バンド部の少なくとも一方の側面の双方に設けられており、
上記制御部は、左右何れの手首に装着しているのか、及び、何れの上記表示部を親指に近い側に位置させるのかに関する使用者からの入力に応じて、一方の側面における操作ボタンの機能と、他方の側面における操作ボタンの機能とを入れ替える制御を行うことを特徴とする請求項１〜３の何れか１項に記載の携帯機器。
【請求項５】
上記本体部と２つの上記表示部との間のそれぞれにアンテナを備え、
上記制御部は、左右何れの手首に装着するのかに関する使用者からの入力に応じて、上記アンテナのうち、使用者の親指に近い側のアンテナの電源を切る制御を行うことを特徴とする請求項１〜４の何れか１項に記載の携帯機器。
【請求項６】
上記携帯機器の装着方向を検出する検出部をさらに備え、
上記制御部は、上記検出部の検出結果に基づき、上記携帯機器の駆動制御を行うことを特徴とする請求項１に記載の携帯機器。
【請求項７】
上記制御部は、上記検出部の検出結果に基づいて、左右何れの手首に装着されているのかを特定し、上記２つの表示部のうち、上記使用者の親指から遠い側の表示部の電源を切る制御を行うことを特徴とする請求項６に記載の携帯機器。
【請求項８】
上記制御部は、上記検出部の検出結果に基づいて、左右何れの手首に装着されているのかを特定し、上記２つの表示部のうち、上記使用者の親指から遠い側の上記表示部において、上記本体部側に画像の下側を表示する制御を行うと共に、使用者の親指に近い側の表示部において、上記本体部側に画像の上側を表示する制御を行うことを特徴とする請求項６又は７に記載の携帯機器。
【請求項９】
上記操作ボタンは、上記本体部及び上記バンド部の少なくとも一方の側面の双方に設けられており、
上記制御部は、上記検出部の検出結果に基づいて、
左右何れの手首に装着されているのか、及び、
何れの上記表示部が使用者の親指に近い側に位置しているのか
を特定し、特定した結果に応じて、一方の側面における操作ボタンの機能と、他方の側面における操作ボタンの機能とを入れ替える制御を行うことを特徴とする請求項６〜８の何れか１項に記載の携帯機器。
【請求項１０】
上記本体部と２つの上記表示部との間のそれぞれにアンテナを備え、
上記制御部は、上記検出部の検出結果に基づいて、左右何れの手首に装着されているのかを特定し、上記アンテナのうち、上記使用者の親指に近い側のアンテナの電源を切る制御を行うことを特徴とする請求項６〜８の何れか１項に記載の携帯機器。
【請求項１１】
上記操作ボタンは、上記本体部及び上記バンド部の少なくとも一方の側面の双方にそれぞれ複数設けられており、
上記本体部又は上記バンド部を挟んで対角上に位置する２つの上記操作ボタンが同一の機能を有していることを特徴とする請求項１〜１０の何れか１項に記載の携帯機器。
【請求項１２】
上記本体部にさらに表示部を備えていることを特徴とする請求項１〜１１の何れか一項に記載の携帯機器。
【請求項１３】
上記操作ボタンは、上記本体部及び上記バンド部の少なくとも一方の側面の双方に設けられており、
上記操作ボタンのうち、相対的に使用頻度の高い操作ボタンを一方の側面に配置し、相対的に使用頻度の低い操作ボタンを他方の側面に配置することを特徴とする請求項１〜１２の何れか１項に記載の携帯機器。
【発明の詳細な説明】
【技術分野】
【０００１】
本発明は携帯機器に関する。
【背景技術】
【０００２】
使用者の手首に装着して使用される携帯機器として、特許文献１に記載されたリスト機器が従来技術として知られている。
【先行技術文献】
【特許文献】
【０００３】
【特許文献１】特開２００６−２００９０９号公報（２００６年８月３日公開）
【発明の概要】
【発明が解決しようとする課題】
【０００４】
使用者の手首に装着して使用される携帯機器は、通常、携帯機器が装着されていないほうの手で操作される。そして、一般に、携帯機器のバンドの正面には表示部が設けられるため、操作ボタンはバンドの側面に設けられることが多い。従来技術のリスト機器では、使用者が手首に装着した状態で表示部を視認できるように、表示部が手前にくるように手首に装着されるが、使用者の右手首に装着する場合と左手首に装着する場合とで、使用者の手の甲側に位置するバンドの側面が異なる。
【０００５】
すなわち、例えば、表示部を手前側とし、バンドの右側の側面に操作ボタンが設けられている場合、使用者の左手首にリスト機器を装着した場合には、操作ボタンが使用者の手の甲側に位置するため右手で操作ボタンを操作しやすい。一方、使用者の右手首にリスト機器を装着した場合、操作ボタンが使用者の腕の側に位置するため左手で操作ボタンが操作し難くなってしまう。
【０００６】
本発明は上述した問題点を解決するためになされたものであり、その目的は、携帯機器を使用者の何れの手首に装着した場合にも、他方の手によるバンドの側面に設けられた操作ボタンの操作性を損なわない携帯機器を実現することにある。
【課題を解決するための手段】
【０００７】
上記の課題を解決するために、本発明の一態様に係る携帯機器は、使用者の手首に装着して使用される携帯機器であって、使用者の手首に巻きつけられる帯状のバンド部と、上記携帯機器の駆動制御を行う制御部を有し、上記バンド部に設けられた本体部と、上記本体部を挟んで上記バンド部に設けられた２つの表示部と、上記バンド部において上記本体部及び上記表示部が設けられた面を正面とした場合、上記本体部及び上記バンド部の少なくとも一方の側面の少なくとも一方に、上記制御部の駆動制御処理に対して入力する操作ボタンとを備えていることを特徴としている。
【発明の効果】
【０００８】
本発明の一態様によれば、本体部を挟んで２つの表示部を備えているので、携帯機器を使用者の右手首及び左手首の何れに装着しても、操作ボタンが設けられた側面を手の甲側にすることができるので、操作ボタンの操作性を損なうことがない。
【図面の簡単な説明】
【０００９】
【図１】本発明の実施形態１に係る携帯機器を模式的に示す上面図である。
【図２】本発明の実施形態１に係る携帯機器を模式的に示す断面図である。
【図３】本発明の実施形態１に係る携帯機器を模式的に示す斜視図である。
【図４】本発明の実施形態１に係る携帯機器の装着状態を示す斜視図である。
【図５】本発明の実施形態１に係る携帯機器のブロック図である。
【図６】本発明の実施形態２に係る携帯機器を模式的に示す上面図である。
【図７】本発明の実施形態２に係る携帯機器の装着状態を示す斜視図である。
【図８】本発明の実施形態３に係る携帯機器を模式的に示す上面図である。
【図９】本発明の実施形態３に係る携帯機器の装着状態を示す斜視図である。
【図１０】本発明の実施形態４に係る携帯機器を模式的に示す断面図である。
【図１１】本発明の実施形態４に係る携帯機器を模式的に示す斜視図である。
【図１２】本発明の実施形態５に係る携帯機器の装着状態を示す斜視図である。
【図１３】本発明の実施形態５に係る携帯機器を模式的に示す上面図である。
【図１４】本発明の実施形態５に係る携帯機器を模式的に示す上面図である。
【発明を実施するための形態】
【００１０】
〔実施形態１〕
以下、本発明の一実施形態について、図１〜５を参照して説明する。図１は、本発明の実施形態１に係る携帯機器を模式的に示す上面図であり、図２は、本発明の実施形態１に係る携帯機器を模式的に示す断面図であり、図３は、本発明の実施形態１に係る携帯機器を模式的に示す斜視図である。図４は、本発明の実施形態１に係る携帯機器の装着状態を示す斜視図であり、図５は、本発明の実施形態１に係る携帯機器のブロック図である。
【００１１】
図１に示すように、携帯機器１０は、バンド部２０、本体部３０、第１の表示部（表示部）４０、第２の表示部（表示部）５０、及び操作ボタン３３を備えている。携帯機器１０は、使用者の手首に装着して使用される。携帯機器１０は、時刻、カレンダー等を表示する時計として機能するものであってもよいし、携帯機器１０により測定される種々の測定データを表示する測定機器として機能するものであってもよく、また、これらの両方として機能するものであってもよい。
【００１２】
バンド部２０は、帯状の装着部材であり、これを手首に巻きつけることで携帯機器１０が使用者の手首に装着される。バンド部２０は、皮革、樹脂等の可撓性を有する材料から構成されており、その両端を中止め２１により結合可能になっている。
【００１３】
本体部３０は、バンド部２０に設けられており、携帯機器１０の駆動制御を行う制御部３１を有している。本体部３０は、その内部に制御部３１を備えている。本体部３０には、外部環境測定センサ、生体測定センサのような各種センサが設けられていてもよい。
【００１４】
外部環境測定センサとしては、例えば、水圧センサ、大気圧センサ等の圧力センサ、温度センサ等が挙げられ、生体測定センサとしては、例えば、体温測定センサ、脈拍測定センサ、血圧測定センサ等が挙げられる。また、本体部３０には、警告灯として機能する発光素子や、太陽光発電パネルが設けられていてもよい。
【００１５】
携帯機器１０は、その装着方向を検出する検出部をさらに備えている。制御部３１は、検出部の検出結果に基づき、携帯機器１０の駆動制御を行う。検出部として、例えば、公知の加速度センサ３５、ジャイロセンサ、気圧センサ等を用いることができる。本実施形態及び後述する実施形態においては、検出部として加速度センサ３５を用いた形態について例示する。加速度センサ３５は、本体部３０に設けられている。
【００１６】
加速度センサ３５は、計測した加速度から重力加速度の方向を特定し、特定した重力加速度の方向を制御部３１に出力する。加速度センサ３５としては、公知の加速度センサを使用可能である。加速度センサ３５による加速度の計測は、予め定められたタイミングで行われてもよいし、使用者の操作入力に基づいて行われてもよい。
【００１７】
制御部３１は、携帯機器１０のシステムを制御する制御回路を含むＣＰＵ及び各表示部の駆動制御を行う駆動制御回路等を含む。制御部３１は、加速度センサ３５から出力された重力加速度の方向に関する情報を受信し、受信した情報に基づき、携帯機器１０の姿勢を検出する。加速度センサ３５による携帯機器１０の姿勢の検出は、予め定められたタイミングで行われてもよいし、使用者の操作入力に基づいて行われてもよい。このように、制御部３１は、加速度センサ３５のように、携帯機器１０の装着方向を検出する検出部の出力を参照して、携帯機器１０の駆動制御を行う。
【００１８】
加速度センサ３５からの出力を用いて、左右何れの手首に装着されているのかを特定する方法として、例えば、右手首に携帯機器１０を装着して歩いている場合に加速度センサが記録する数値のパターンと、左手首に携帯機器１０を装着して歩いている場合のパターンとを、携帯機器１０の開発段階で複数測定(学習)しておき、実使用時に加速度センサ３５が検知している数値パターンが、携帯機器１０の開発段階で測定した右手装着時の数値パターンと左手装着時の数値パターンとのどちらに類似しているかを判定することにより、左右何れの手首に装着されているのかを特定する方法が挙げられる。同様に、第１の表示部４０及び第２の表示部５０のそれぞれについて、使用者の親指に近い側に位置している場合の数値パターンを学習することで、第１の表示部４０及び第２の表示部５０の何れが使用者の親指に近い側に位置しているのかを特定することができる。なお、検出部として気圧センサを用いる場合には、これを複数搭載することで携帯機器１０の上下方向を検知し、上述した加速度センサ３５と同様に装着パターンを学習することで、左右何れの手首に装着されているのかを特定することができる。
【００１９】
本実施形態において、本体部３０には、圧力センサ３４が設けられている。圧力センサ３４は、携帯機器１０に加わる液圧又は気圧を測定し、測定結果を制御部３１に出力する。圧力センサ３４としては、公知の圧力センサを使用可能である。圧力センサ３４による圧力測定は、予め定められたタイミングで行われてもよいし、使用者の操作入力に基づいて行われてもよい。制御部３１は、圧力センサ３４から出力された測定結果に関する情報を受信し、受信した情報を、第１の表示部４０及び第２の表示部５０の少なくとも一方に表示する制御を行う。
【００２０】
また、本体部３０には、電池３２、及びアンテナ３６が設けられている。電池３２は、本体部３０の内部に設けられ、所定の電圧に変換して各制御回路に供給される電力を供給するものである。アンテナ３６は、時刻標準電波を受信する。アンテナ３６としては、公知のアンテナを使用可能である。
【００２１】
第１の表示部４０及び第２の表示部５０は、本体部３０を挟んでバンド部２０に設けられている。すなわち、携帯機器１０は、本体部３０を挟んで２つの表示部を備えている。第１の表示部４０は、表示画面４１を備えており、第２の表示部５０は、表示画面５１を備えている。
【００２２】
第１の表示部４０及び第２の表示部５０は、手首の断面形状に沿って湾曲していることが好ましく、これにより、携帯機器１０を手首に装着した状態で表示画面４１及び表示画面５１を視認しやすく、また、携帯機器１０の装着感が向上する。表示画面４１及び表示画面５１は、可撓性を有することが好ましく、これにより、携帯機器１０が手首に馴染みやすく、装着感が向上する。表示画面４１及び表示画面５１として、液晶表示パネル、有機ＥＬパネル等を使用することが可能であり、これらの基材としては、例えば、合成樹脂の薄板や可撓性を有する程度の厚みに形成されているガラスが挙げられる。表示画面４１及び表示画面５１は、アクリル系樹脂のような光透過率が高い材料により形成された可撓性を有するカバー４２及びカバー５２によりそれぞれ覆われていてもよい。
【００２３】
操作ボタン３３は、第１の表示部４０及び第２の表示部５０が設けられた面を正面２２とした場合に本体部３０及びバンド部２０の少なくとも一方の側面２３の一方に設けられている。本実施形態及び後述する実施形態においては、本体部３０の側面に操作ボタン３３が設けられた形態について例示する。
【００２４】
図１において、操作ボタン３３は、第１の表示部４０を手前側とした場合に本体部３０の正面２２に向かって右側、すなわち使用者の手の甲側の側面２３に設けられている。操作ボタン３３は、本体部３０において本体部３０が設けられた位置の側面２３に設けられている。操作ボタン３３は、制御部３１の駆動制御処理に対して入力するための外部操作部材である。
【００２５】
操作ボタン３３の数は特に限定されず、外部操作入力が必要な機能の数だけ備えていてもよい。例えば、モード切替機能、時刻設定機能、リセット機能、携帯機器１０の電源のＯＮ、ＯＦＦを切り替える機能、第１の表示部４０及び第２の表示部５０の電源のＯＮ、ＯＦＦを切り替える機能、表示画面４１及び表示画面５１の表示方向を切り替える機能等を有する操作ボタンがそれぞれ設けられていてもよい。本実施形態では、操作ボタン３３を３つ備える構成を例として示している。操作ボタン３３の少なくとも１つは、つまみを引いたり回したりすることによって、例えば時刻や日付を設定する、りゅうずであってもよい。
【００２６】
携帯機器１０は、本体部３０を挟んでバンド部２０に設けられた第１の表示部４０及び第２の表示部５０を備えているので、例えば、図４中（ａ）に示すように、使用者の左手１００の手首に携帯機器１０を装着する場合には、第１の表示部４０が使用者の親指１０２側、すなわち手前側に位置するように装着することで、操作ボタン３３が使用者の手の甲１０１側に位置するため、右手１０３で操作ボタン３３を操作しやすい。
【００２７】
一方、図４中（ｂ）に示すように、使用者の右手１０３の手首に携帯機器１０を装着する場合には、第２の表示部５０が使用者の親指１０５側、すなわち手前側に位置するように装着することで、操作ボタン３３が使用者の手の甲１０４側に位置するため、左手１００で操作ボタン３３を操作しやすい。
【００２８】
すなわち、携帯機器１０は、使用者の何れの手首に装着した場合にも、他方の手による本体部３０の側面２３に設けられた操作ボタン３３の操作性を損なわない。このように、携帯機器１０は、使用者の手首に装着して使用される携帯機器１０であって、使用者の手首に巻きつけられる帯状のバンド部２０と、携帯機器１０の駆動制御を行う制御部３１を有し、バンド部２０に設けられた本体部３０と、本体部３０を挟んでバンド部２０に設けられた２つの表示部と、バンド部２０において本体部３０及び表示部が設けられた面を正面とした場合、本体部３０及びバンド部２０の少なくとも一方の側面の少なくとも一方に、制御部３１の駆動制御処理に対して入力する操作ボタンとを備えている。
【００２９】
（変形例１）
制御部３１は、バンド部２０を使用者の手首に巻きつけた場合に、使用者の親指側、すなわち手前側に位置する表示部の電源のみを入れて（電源ＯＮ）、他方の表示部の電源を切る（電源ＯＦＦ）制御を行ってもよい。制御部３１によるこのような駆動制御は、使用者による操作ボタン３３を介した操作入力に基づいて行われてもよいし、加速度センサ３５のような検出部による検出結果に基づいて行われてもよい。
【００３０】
使用者による操作入力に基づく場合、制御部３１は、左右何れの手首に装着するのかに関する使用者からの入力に応じて、第１の表示部４０及び第２の表示部５０のうち、使用者の親指側から遠い側の表示部の電源を切る制御を行う。すなわち、制御部３１は、使用者による第１の表示部４０又は第２の表示部５０の電源を切る入力を受け付けた場合に、入力された表示部への電力の供給を停止し、入力された表示部の電源を切る制御を行う。また、制御部３１は、使用者による第１の表示部４０及び第２の表示部５０の何れかのみの電源を入れる入力を受け付けた場合に、入力された表示部にのみ電力を供給し、入力された表示部にのみ電源を入れる制御を行う。このように、制御部３１は、左右何れの手首に装着するのかに関する使用者からの入力に応じて、上記２つの表示部のうち、使用者の親指から遠い側の表示部の電源を切る制御を行う。
【００３１】
加速度センサ３５による検出結果に基づく場合、制御部３１は、加速度センサ３５の出力に基づいて、左右何れの手首に装着されているのかを特定し、第１の表示部４０及び第２の表示部５０のうち、使用者の親指から遠い側の表示部の電源を切る制御を行う。まず、制御部３１は、加速度センサ３５が、計測した加速度から特定した重力加速度の方向に関する情報を受信する。そして、制御部３１は、加速度センサ３５から出力された情報に基づいて、携帯機器１０が左右何れの手首に装着されているかと共に、携帯機器１０の姿勢を検出し、第１の表示部４０又は第２の表示部５０の何れが使用者の親指側、すなわち手前側に位置しているかを特定する。次に、制御部３１は、特定された表示部に対向する位置の表示部、すなわち奥側に位置する表示部への電力の供給を停止し、当該表示部の電源を切る制御を行う。このように、制御部３１は、検出部の検出結果に基づいて、左右何れの手首に装着されているのかを特定し、２つの表示部のうち、使用者の親指から遠い側の表示部の電源を切る制御を行う。
【００３２】
これにより、携帯機器１０を手首に装着した状態では視認し難い、使用者の親指から遠い側、すなわち奥側に位置している表示部は電源を切って使用しないため、消費電力を抑制することができる。また、加速度センサ３５による検出結果に基づいて上述した駆動制御を行えば、使用者自身が設定する必要がなく、使用者の負担を軽減することができる。
【００３３】
（変形例２）
制御部３１は、表示画面４１及び表示画面５１における画像の表示方向を変更する制御を行ってもよい。例えば、制御部３１は、バンド部２０を使用者の手首に巻きつけた場合に、使用者の親指から遠い側、すなわち奥側に位置する表示部の表示画面において、本体部３０側に画像の下側を表示する制御を行う。また、制御部３１は、使用者の親指側、すなわち手前側に位置する表示部の表示画面において、本体部３０側に画像の上側を表示する制御を行ってもよい。
【００３４】
具体的には、制御部３１は、バンド部２０を使用者の左手の手首に巻きつけた場合、図１に示すように、第１の表示部４０の表示画面４１においては、本体部３０側に画像の上側を表示するように制御する。また、制御部３１は、第２の表示部５０の表示画面５１においては、本体部３０側に画像の下側を表示するように制御する。制御部３１による上述した駆動制御は、使用者による操作ボタン３３を介した操作入力に基づいて行われてもよいし、加速度センサ３５のような検出部による検出結果に基づいて行われてもよい。
【００３５】
使用者による操作入力に基づく場合、制御部３１は、左右何れの手首に装着するのかに関する使用者からの入力に応じて、第１の表示部４０及び第２の表示部５０の画像の表示方向を変更する制御を行う。すなわち、制御部３１は、使用者による表示画面４１又は表示画面５１における画像の表示方向を変更する入力を受け付けた場合に、手前側の表示部の表示画面における画像の表示方向を、本体部３０側に画像の上側が表示されるようにし、奥側の表示部の表示画面における画像の表示方向を、本体部３０側に画像の下側が表示されるように変更する。このように、制御部３１は、左右何れの手首に装着するのかに関する使用者からの入力に応じて、上記２つの表示部のうち、使用者の親指から遠い側の表示部において、本体部３０側に画像の下側を表示する制御を行うと共に、使用者の親指に近い側の表示部において、本体部３０側に画像の上側を表示する制御を行う。
【００３６】
加速度センサ３５による検出結果に基づく場合、制御部３１は、加速度センサ３５の出力に基づいて、左右何れの手首に装着されているのかを特定し、第１の表示部４０及び第２の表示部５０の画像の表示方向を変更する制御を行う。まず、制御部３１は、加速度センサ３５が、計測した加速度から特定した重力加速度の方向に関する情報を受信する。そして、制御部３１は、加速度センサ３５から出力された情報に基づいて、携帯機器１０が左右何れの手首に装着されているかと共に、携帯機器１０の姿勢を検出し、第１の表示部４０又は第２の表示部５０の何れが使用者の親指側、すなわち手前側に位置しているかを特定する。次に、制御部３１は、検出された表示部の表示画面における画像の表示方向を、本体部３０側に画像の上側が表示されるようにし、検出された表示部に対向する位置の表示部の表示画面における画像の表示方向を、本体部３０側に画像の下側が表示されるように変更する制御を行う。このように、制御部３１は、検出部の検出結果に基づいて、左右何れの手首に装着されているのかを特定し、２つの表示部のうち、上記使用者の親指から遠い側の上記表示部において、上記本体部側に画像の下側を表示する制御を行うと共に、使用者の親指に近い側の表示部において、上記本体部側に画像の上側を表示する制御を行う。
【００３７】
これにより、携帯機器１０を右手首または左手首の何れに装着した場合にも、第１の表示部４０及び第２の表示部５０の両方を使用しつつ、両方の表示部において使用者に適切な表示方向で画像を表示させることができる。
【００３８】
（変形例３）
制御部３１は、バンド部２０を使用者の手首に巻きつけた場合に、使用者の親指側、すなわち手前側に位置する表示部の表示画面にのみ画像を表示する制御を行ってもよい。制御部３１によるこのような駆動制御は、使用者による操作ボタン３３を介した操作入力に基づいて行われてもよいし、加速度センサ３５のような検出部による検出結果に基づいて行われてもよい。
【００３９】
使用者による操作入力に基づいて、上述したような駆動制御を行う場合、制御部３１は、使用者による表示画面４１及び表示画面５１の何れかに画像を表示しない入力を受け付けた場合に、入力された表示画面に画像を表示しない制御を行う。また、制御部３１は、使用者による表示画面４１及び表示画面５１の何れかにのみ画像を表示する入力を受け付けた場合に、入力された表示画面にのみ画像を表示する制御を行う。
【００４０】
加速度センサ３５による検出結果に基づいて、上述したような駆動制御を行う場合、まず、制御部３１は、加速度センサ３５が、計測した加速度から特定した重力加速度の方向に関する情報を受信する。そして、制御部３１は、加速度センサ３５から出力された情報に基づいて、携帯機器１０が左右何れの手首に装着されているかと共に、携帯機器１０の姿勢を検出し、第１の表示部４０又は第２の表示部５０の何れが使用者の親指側、すなわち手前側に位置しているかを特定する。次に、制御部３１は、検出された表示部に対向する位置の表示部、すなわち奥側に位置する表示部の表示画面に画像を表示しない制御、又は、検出された表示部の表示画面にのみ画像を表示する制御を行うことによって、検出された表示部の表示画面にのみ画像を表示させる。
【００４１】
このように、携帯機器１０を手首に装着した場合に手前側に位置する表示画面と奥側に位置する表示画面とで画面の表示、非表示を切り替えて使用することができる。また、検出部による検出結果に基づいて上述した駆動制御を行えば、使用者自身が設定する必要がなく、使用者の負担を軽減することができる。
【００４２】
〔実施形態２〕
本発明の他の実施形態について、図６及び７を参照して以下に説明する。図６は、本発明の実施形態２に係る携帯機器を模式的に示す上面図であり、図７は、本発明の実施形態２に係る携帯機器の装着状態を示す斜視図である。なお、説明の便宜上、上記実施形態にて説明した部材と同じ機能を有する部材については、同じ符号を付記し、その説明を繰り返さない。
【００４３】
本実施形態において、携帯機器１０は、本体部３０及びバンド部２０の少なくとも一方の側面の双方に操作ボタンを備え、それらの相対的な使用頻度が異なる点において、他の実施形態の携帯機器１０と異なっている。図６に示すように、携帯機器１０は、本体部３０の側面の一方に操作ボタン３３ａを備え、本体部３０の側面の他方に操作ボタン３３ｂを備えている。図６において、操作ボタン３３ａと操作ボタン３３ｂとは、ボタンの数が異なっているが、ボタンの数が同数でもよい。ここで、操作ボタン３３ａは操作ボタン３３ｂよりも、相対的な使用頻度が高い。
【００４４】
したがって、相対的に使用頻度が高い方の操作ボタンが使用者の手の甲側に位置するように携帯機器１０を使用者の手首に装着すれば、使用頻度が高い操作ボタンの操作性が損なわれず、携帯機器１０の操作性が向上する。ここで、例えば、モード切替機能や電源のＯＮ、ＯＦＦを切り替える機能を有する操作ボタンは、時刻設定機能やリセット機能を有する操作ボタンよりも使用頻度が高いと考えられるので、モード切替機能や電源のＯＮ、ＯＦＦを切り替える機能を有する操作ボタンを使用頻度が高い操作ボタン３３ａとして設定していてもよい。
【００４５】
携帯機器１０は、第１の表示部４０及び第２の表示部５０の２つの表示部を、本体部３０を挟む位置に備えているので、例えば、図７中（ａ）に示すように、使用者の左手１００の手首に携帯機器１０を装着する場合には、第１の表示部４０が使用者の親指１０２側、すなわち手前側に位置するように装着することで、使用頻度の高い操作ボタン３３ａが使用者の手の甲１０１側に位置するため、右手１０３で操作ボタン３３ａを操作しやすい。
【００４６】
一方、図７中（ｂ）に示すように、使用者の右手１０３の手首に携帯機器１０を装着する場合には、第２の表示部５０が使用者の親指１０５側、すなわち手前側に位置するように装着することで、使用頻度の高い操作ボタン３３ａが使用者の手の甲１０４側に位置するため、左手１００で操作ボタン３３ａを操作しやすい。
【００４７】
このように、操作ボタンは、上記本体部及び上記バンド部の少なくとも一方の側面の双方に設けられており、操作ボタンのうち、相対的に使用頻度の高い操作ボタンを一方の側面に配置し、相対的に使用頻度の低い操作ボタンを他方の側面に配置する。すなわち、携帯機器１０は、使用者の何れの手首に装着した場合にも、他方の手による使用頻度の高い操作ボタン３３ａの操作性を損なわず、携帯機器１０の操作性が向上する。
【００４８】
なお、制御部３１は、携帯機器１０が備える複数の操作ボタンのそれぞれについて、所定の時間間隔で使用頻度を検出する構成とし、検出した使用頻度に応じて、それぞれの操作ボタンに割り当てられた機能を入れ替える構成としてもよい。例えば、過去に使用頻度が相対的に高かった操作ボタンＡが、現在の使用頻度が相対的に下がっていることを検出し、過去に使用頻度が相対的に低かった操作ボタンＢが、現在の使用頻度が相対的に上がっていることを検出した場合、制御部３１は、操作ボタンＡの機能を、操作ボタンＢの機能を入れ替える制御を行ってもよい。また、このような入れ替えを行う前に、表示画面等を介してユーザに通知し、ユーザが許可した場合にのみ実際に入れ替えを行う構成とすればよい。
【００４９】
上記のような制御を行うことによって、携帯機器１０は、使用者による操作ボタンの使用頻度が経時的に変化する場合であっても、操作ボタンは、上記本体部及び上記バンド部の少なくとも一方の側面の双方に設けられており、操作ボタンのうち、相対的に使用頻度の高い操作ボタンを一方の側面に配置し、相対的に使用頻度の低い操作ボタンを他方の側面に配置することができる。
【００５０】
〔実施形態３〕
本発明のさらに他の実施形態について、図８及び９を参照して以下に説明する。図８は、実施形態３に係る携帯機器を模式的に示す上面図であり、図９は、実施形態３に係る携帯機器の装着状態を示す斜視図である。なお、説明の便宜上、上記実施形態にて説明した部材と同じ機能を有する部材については、同じ符号を付記し、その説明を繰り返さない。
【００５１】
本実施形態において、携帯機器１０は、本体部３０及びバンド部２０の少なくとも一方の側面の双方に同数の操作ボタンを備え、操作ボタンの機能を変更する点において他の実施形態の携帯機器１０と異なっている。図８に示すように、携帯機器１０は、本体部３０及びバンド部２０の少なくとも一方の側面の一方に、操作ボタンＡ１、操作ボタンＡ２、及び操作ボタンＡ３の３つの操作ボタンを備えている。また、携帯機器１０は、本体部３０及びバンド部２０の少なくとも一方の側面の他方に、操作ボタンＢ１、操作ボタンＢ２、及び操作ボタンＢ３の３つの操作ボタンを備えている。
【００５２】
制御部３１は、携帯機器１０を使用者の右手首及び左手首の何れに装着し、かつ、何れの表示部を親指に近い側に位置させた場合にも、双方の側面に設けられた操作ボタンの機能が同一になるように、操作ボタンの機能を変更する。したがって、図９中（ａ）及び（ｂ）に示すように、携帯機器１０を使用者の右手１０３の手首に装着する場合及び左手１００の手首に装着する場合の両方において、第１の表示部４０が使用者の親指側に位置するように装着しても、携帯機器１０を装着していない方の手により操作ボタンを操作しやすい。
【００５３】
すなわち、制御部３１は、携帯機器１０を使用者の右手首及び左手首の何れに装着しても、また、第１の表示部４０及び第２の表示部５０の何れが使用者の親指側、すなわち手前側に位置していても、ある機能を有する操作ボタンが位置する側面が同一となり、かつ、その側面における機能の並び順が同一になるように、操作ボタンの機能を変更する。したがって、携帯機器１０を使用者の右手首及び左手首の何れに装着し、第１の表示部４０及び第２の表示部５０の何れが使用者の手前側に位置していても、使用者の手の甲側の側面に位置する操作ボタンの機能は同一になり、その反対側の側面に位置する操作ボタンの機能も同一になると共に、使用者の奥側から手前側に向かう操作ボタンの機能の並び順は同一になる。
【００５４】
具体的には、図９中（ａ）の操作ボタンＡ１と図９中（ｂ）の操作ボタンＢ１との機能が同一で、図９中（ａ）の操作ボタンＡ２と図９中（ｂ）の操作ボタンＢ２との機能が同一で、かつ、図９中（ａ）の操作ボタンＡ３と図９中（ｂ）の操作ボタンＢ３との機能が同一になるように、制御部３１は操作ボタンの機能を変更する。同様に、図９中（ａ）の操作ボタンＢ１と図９中（ｂ）の操作ボタンＡ１との機能が同一で、図９中（ａ）の操作ボタンＢ２と図９中（ｂ）の操作ボタＡＢ２との機能が同一で、かつ、図９中（ａ）の操作ボタンＢ３と図９中（ｂ）の操作ボタンＡ３との機能が同一になるように、制御部３１は操作ボタンの機能を変更する。このように制御部３１が操作ボタンの機能を変更することで、操作ボタンの機能の位置及び並び順が一定になり、使用者による操作性が向上する。
【００５５】
制御部３１によるこのような駆動制御は、使用者による操作ボタン３３を介した操作入力に基づいて行われてもよいし、加速度センサ３５による検出結果に基づいて行われてもよい。使用者による操作入力に基づく場合、制御部３１は、左右何れの手首に装着しているのか、及び、何れの表示部を親指に近い側に位置させるのかに関する使用者からの入力に応じて、一方の側面における操作ボタンの機能と、他方の側面における操作ボタンの機能とを入れ替える制御をおこなう。すなわち、制御部３１は、使用者による、操作ボタンＡ１、操作ボタンＡ２、及び操作ボタンＡ３と、操作ボタンＢ１、操作ボタンＢ２、及び操作ボタンＢ３との機能をそれぞれ入れ替える入力を受け付けた場合に、入力された操作ボタンの機能を入れ替える制御を行う。このように、操作ボタンは、本体部３０及びバンド部２０の少なくとも一方の側面の双方に設けられており、制御部３１は、左右何れの手首に装着しているのか、及び、何れの表示部を親指に近い側に位置させるのかに関する使用者からの入力に応じて、一方の側面における操作ボタンの機能と、他方の側面における操作ボタンの機能とを入れ替える制御を行う。
【００５６】
加速度センサ３５による検出結果に基づく場合、制御部３１は、加速度センサ３５の出力に基づいて、左右何れの手首に装着されているのかを特定し、特定した結果に応じて、一方の側面における操作ボタンの機能と、他方の側面における操作ボタンの機能とを入れ替える制御を行う。まず、制御部３１は、加速度センサ３５が、計測した加速度から特定した重力加速度の方向に関する情報を受信する。そして、制御部３１は、加速度センサ３５から出力された情報に基づいて、携帯機器１０が左右何れの手首に装着されているかと共に、携帯機器１０の姿勢を検出し、第１の表示部４０又は第２の表示部５０の何れが使用者の親指側、すなわち手前側に位置しているかを特定する。次に、制御部３１は、使用者の手の甲側の操作ボタンとその反対側の操作ボタンとのそれぞれの機能が、予め定められた機能になっているか否かを判定する。操作ボタンの機能が予め定められた機能になっていない場合には、予め定められた機能になるように、使用者の手の甲側の操作ボタンの機能とその反対側の操作ボタンの機能とを入れ替える制御を行う。このように、操作ボタンは、本体部３０及びバンド部２０の少なくとも一方の側面の双方に設けられており、制御部３１は、加速度センサ３５の出力に基づいて、左右何れの手首に装着されているのかを特定し、特定した結果に応じて、一方の側面における操作ボタンの機能と、他方の側面における操作ボタンの機能とを入れ替える制御を行う。
【００５７】
これにより、携帯機器１０を使用者の右手首に装着する場合及び左手首に装着する場合の両方において、携帯機器１０の姿勢を同一としても、操作ボタンの機能に基づく位置が同一となるため、使用者は携帯機器１０の姿勢を気にすることなく装着することが可能であり、使用者の負担が軽減する。また、使用者が右手首及び左手首の何れに携帯機器１０を装着しても、操作ボタンの機能に基づく位置が同一であるため、操作ボタンの機能を誤って入力することを防ぎ、携帯機器１０の操作性が向上する。また、加速度センサ３５による検出結果に基づいて上述した駆動制御を行えば、使用者自身が設定する必要がなく、使用者の負担を軽減することができる。
【００５８】
（変形例１）
携帯機器１０は、操作ボタンＡ１、操作ボタンＡ２、及び操作ボタンＡ３と、操作ボタンＢ１、操作ボタンＢ２、及び操作ボタンＢ３とのうち、本体部３０又はバンド部２０を挟んで対角上に位置する２つの操作ボタンにおいて、入力される制御部３１の駆動制御処理が同一、すなわち機能が同一であってもよい。
【００５９】
すなわち、操作ボタンＡ１と操作ボタンＢ３とで機能が同一であり、操作ボタンＡ２と操作ボタンＢ２とで機能が同一であり、操作ボタンＡ３と操作ボタンＢ１とで機能が同一である。例えば、操作ボタンＡ１と操作ボタンＢ３とがリセット機能を有し、操作ボタンＡ２と操作ボタンＢ２とが時刻設定機能を有し、操作ボタンＡ３と操作ボタンＢ１とがモード切替機能を有している。
【００６０】
したがって、図９中（ａ）及び（ｂ）に示すように、携帯機器１０を使用者の右手１０３の手首に装着する場合及び左手１００の手首に装着する場合の両方において、第１の表示部４０が使用者の親指側に位置するように装着しても、携帯機器１０を装着していない方の手により操作ボタンを操作しやすい。
【００６１】
すなわち、携帯機器１０を使用者の右手首に装着する場合及び左手首に装着する場合の両方において、携帯機器１０の姿勢を同一としても操作性が損なわれないので、使用者は携帯機器１０の姿勢を気にすることなく装着することが可能であり、使用者の負担が軽減する。また、使用者が右手首及び左手首の何れに携帯機器１０を装着しても、操作ボタンの操作性が損なわれないので、携帯機器１０の操作性が向上する。このように、操作ボタンは、本体部３０及びバンド部２０の少なくとも一方の側面の双方にそれぞれ複数設けられており、本体部３０又はバンド部２０を挟んで対角上に位置する２つの操作ボタンが同一の機能を有している。
【００６２】
〔実施形態４〕
本発明のさらに他の実施形態について、図１０及び１１を参照して以下に説明する。図１０は、本発明の実施形態４に係る携帯機器を模式的に示す断面図であり、図１１は、本発明の実施形態４に係る携帯機器を模式的に示す斜視図である。なお、説明の便宜上、上記実施形態にて説明した部材と同じ機能を有する部材については、同じ符号を付記し、その説明を繰り返さない。
【００６３】
本実施形態において、携帯機器１０は、２つのアンテナを備えている点において、他の実施形態の携帯機器１０と異なっている。図１０及び１１に示すように、携帯機器１０は、本体部３０と第１の表示部４０との間、及び、本体部３０と第２の表示部５０との間のそれぞれに、アンテナ３６を備えている。制御部３１は、バンド部２０を使用者の手首に巻きつけた場合に、使用者の親指側、すなわち手前側に位置するアンテナ３６を使用せず、他方のアンテナ３６のみを使用するように制御を行う。これにより、表示部からのノイズの影響によるアンテナ性能の劣化を防ぐことができる。制御部３１によるこのような駆動制御は、使用者による操作ボタン３３を介した操作入力に基づいて行われてもよいし、加速度センサ３５による検出結果に基づいて行われてもよい。
【００６４】
使用者による操作入力に基づく場合、制御部３１は、左右何れの手首に装着するのかに関する使用者からの入力に応じて、アンテナ３６のうち、使用者の親指側に近い側のアンテナの電源を切る制御を行う。すなわち、制御部３１は、使用者による第１の表示部４０又は第２の表示部５０の電源を切る入力を受け付けた場合に、入力された表示部の反対側のアンテナ３６への電力の供給を停止して電源を切る制御を行う。また、制御部３１は、使用者による何れかのアンテナ３６の電源を切る入力を受け付けた場合に、入力されたアンテナ３６への電力の供給を停止して電源を切る制御を行う。このように、携帯機器１０は、本体部３０と２つの表示部との間のそれぞれにアンテナを備え、制御部３１は、左右何れの手首に装着するのかに関する使用者からの入力に応じて、アンテナ３６のうち、使用者の親指に近い側のアンテナ３６の電源を切る制御を行う。
【００６５】
加速度センサ３５による検出結果に基づく場合、制御部３１は、加速度センサ３５の出力に基づいて、左右何れの手首に装着されているのかを特定し、使用者の親指に近い側のアンテナ３６の電源を切る制御を行う。まず、制御部３１は、加速度センサ３５が、計測した加速度から特定した重力加速度の方向に関する情報を受信する。そして、制御部３１は、加速度センサ３５から出力された情報に基づいて、携帯機器１０が左右何れの手首に装着されているかと共に、携帯機器１０の姿勢を検出し、何れのアンテナ３６が使用者の親指に近い側に位置しているかを特定する。次に制御部３１は、特定された使用者の親指に近い側、すなわち手前側に位置するアンテナ３６への電力の供給を停止し、当該アンテナ３６の電源を切る制御を行う。このように、携帯機器１０は、本体部３０と２つの表示部との間のそれぞれにアンテナ３６を備え、制御部３１は、加速度センサ３５の出力に基づいて、左右何れの手首に装着されているのかを特定し、アンテナ３６のうち、使用者の親指に近い側のアンテナ３６の電源を切る制御を行う。
【００６６】
〔実施形態５〕
本発明のさらに他の実施形態について、図１２〜１４を参照して以下に説明する。図１２は、本発明の実施形態５に係る携帯機器の装着状態を示す斜視図であり、図１３は、本発明の実施形態５に係る携帯機器を模式的に示す上面図であり、図１４は、本発明の実施形態５に係る携帯機器を模式的に示す上面図である。なお、説明の便宜上、上記実施形態にて説明した部材と同じ機能を有する部材については、同じ符号を付記し、その説明を繰り返さない。本実施形態において、携帯機器１０は、本体部３０にさらに表示部３７を備えている点において、他の実施形態の携帯機器１０と異なっている。
【００６７】
図１２中（ａ）及び（ｂ）に示すように、携帯機器１０は、本体部３０を挟んでバンド部２０に設けられた第１の表示部４０及び第２の表示部５０と、本体部３０及びバンド部２０の少なくとも一方の側面に設けられた操作ボタン３３と、本体部３０に設けられた表示部３７とを備えている。したがって、携帯機器１０は、使用者の何れの手首に装着した場合にも、他方の手によるバンド部２０の側面に設けられた操作ボタンの操作性を損なわない上に、表示部３７にも画像を表示させることができる。
【００６８】
また、図１３に示すように、携帯機器１０は、本体部３０を挟んでバンド部２０に設けられた第１の表示部４０及び第２の表示部５０と、本体部３０及びバンド部２０の少なくとも一方の側面の双方に設けられた操作ボタン３３ａ及び操作ボタン３３ｂと、本体部３０に設けられた表示部３７とを備えている。したがって、携帯機器１０は、相対的に使用頻度の高い操作ボタンを一方の側面に配置し、相対的に使用頻度の低い操作ボタンを他方の側面に配置することで、使用者の何れの手首に装着した場合にも、他方の手による使用頻度の高い操作ボタンの操作性を損なわず、携帯機器１０の操作性が向上する上に、表示部３７にも画像を表示させることができる。
【００６９】
さらに、図１４に示すように、携帯機器１０は、本体部３０を挟んでバンド部２０に設けられた第１の表示部４０及び第２の表示部５０と、本体部３０及びバンド部２０の少なくとも一方の側面の双方に同数設けられた操作ボタンと、本体部３０に設けられた表示部３７とを備えている。携帯機器１０は、使用者の右手首及び左手首の何れに装着し、かつ、何れの表示部を親指に近い側に位置させた場合にも、双方の側面に設けられた操作ボタンの機能が同一になるように、操作ボタンの機能を入れ替えるように変更する制御を行う。したがって、携帯機器１０の姿勢を同一としても、操作ボタンの機能に基づく位置及び並び順が同一であるため、使用者は携帯機器１０の姿勢を気にすることなく装着することが可能であり、使用者の負担が軽減する上に、表示部３７にも画像を表示させることができる。
【００７０】
本実施形態において説明した形態以外にも、上述した他の実施形態及び変形例の何れにおいても、本体部３０に表示部３７を設けることが可能であり、本実施形態において説明した形態と同様の効果を奏する。このように、本体部３０にさらに表示部３７を備えている。
【００７１】
〔ソフトウェアによる実現例〕
携帯機器１０の制御ブロック（特に制御部３１）は、集積回路（ＩＣチップ）等に形成された論理回路（ハードウェア）によって実現してもよいし、ソフトウェアによって実現してもよい。
【００７２】
後者の場合、携帯機器１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７３】
〔まとめ〕
本発明の態様１に係る携帯機器１０は、使用者の手首に装着して使用される携帯機器１０であって、使用者の手首に巻きつけられる帯状のバンド部２０と、上記携帯機器の駆動制御を行う制御部３１を有し、上記バンド部に設けられた本体部３０と、上記本体部を挟んで上記バンド部に設けられた２つの表示部（第１の表示部４０及び第２の表示部５０）と、上記バンド部において上記本体部及び上記表示部が設けられた面を正面２２とした場合、上記本体部及び上記バンド部の少なくとも一方の側面の２３の少なくとも一方に、上記制御部の駆動制御処理に対して入力する操作ボタン３３とを備えている。
【００７４】
上記の構成によれば、携帯機器は、使用者の何れの手首に装着した場合にも、他方の手によるバンドの側面に設けられた操作ボタンの操作性を損なわない。
【００７５】
本発明の態様２に係る携帯機器は、上記態様１において、上記制御部は、左右何れの手首に装着するのかに関する使用者からの入力に応じて、上記２つの表示部のうち、使用者の親指から遠い側の表示部の電源を切る制御を行ってもよい。
【００７６】
上記の構成によれば、携帯機器を手首に装着した状態では視認し難い、使用者の親指から遠い側、すなわち奥側に位置している表示部は電源を切って使用しないため、消費電力を抑制することができる。
【００７７】
本発明の態様３に係る携帯機器は、上記態様１または２において、上記制御部は、左右何れの手首に装着するのかに関する使用者からの入力に応じて、上記２つの表示部のうち、使用者の親指から遠い側の表示部において、上記本体部側に画像の下側を表示する制御を行うと共に、使用者の親指に近い側の表示部において、上記本体部側に画像の上側を表示する制御を行ってもよい。
【００７８】
上記の構成によれば、携帯機器を右手首または左手首の何れに装着した場合にも、第１の表示部及び第２の表示部の両方を使用しつつ、両方の表示部において使用者に適切な表示方向で画像を表示させることができる。
【００７９】
本発明の態様４に係る携帯機器は、上記態様１〜３の何れかにおいて、上記操作ボタンは、上記本体部及び上記バンド部の少なくとも一方の側面の双方に設けられており、上記制御部は、左右何れの手首に装着しているのか、及び、何れの上記表示部を親指に近い側に位置させるのかに関する使用者からの入力に応じて、一方の側面における操作ボタンの機能と、他方の側面における操作ボタンの機能とを入れ替える制御を行ってもよい。
【００８０】
上記の構成によれば、携帯機器を使用者の右手首に装着する場合及び左手首に装着する場合の両方において、携帯機器の姿勢を同一としても、操作ボタンの機能に基づく位置及び並び順が同一であるため、使用者は携帯機器の姿勢を気にすることなく装着することが可能であり、使用者の負担が軽減する。また、使用者が右手首及び左手首の何れに携帯機器を装着しても、操作ボタンの機能に基づく位置が同一であるため、操作ボタンの機能を誤って入力することを防ぎ、携帯機器の操作性が向上する。
【００８１】
本発明の態様５に係る携帯機器は、上記態様１〜４の何れかにおいて、上記本体部と２つの上記表示部との間のそれぞれにアンテナ３６を備え、上記制御部は、左右何れの手首に装着するのかに関する使用者からの入力に応じて、上記アンテナのうち、使用者の親指に近い側のアンテナの電源を切る制御を行ってもよい。これにより、表示部からのノイズの影響によるアンテナ性能の劣化を防ぐことができる。
【００８２】
本発明の態様６に係る携帯機器は、態様１において、上記携帯機器の装着方向を検出する検出部をさらに備え、上記制御部は、上記検出部の検出結果に基づき、上記携帯機器の駆動制御を行ってもよい。
【００８３】
上記の構成によれば、加速度センサによる検出結果に基づいて制御部が駆動制御を行うので、使用者自身が設定する必要がなく、使用者の負担を軽減することができる。
【００８４】
本発明の態様７に係る携帯機器は、態様６において、上記制御部は、検出部の検出結果に基づいて、左右何れの手首に装着されているのかを特定し、上記２つの表示部のうち、上記使用者の親指から遠い側の表示部の電源を切る制御を行ってもよい。
【００８５】
上記の構成によれば、携帯機器を手首に装着した状態では視認し難い、使用者の親指から遠い側、すなわち奥側に位置している表示部は電源を切って使用しないため、消費電力を抑制することができる。
【００８６】
本発明の態様８に係る携帯機器は、態様６又は７において、上記制御部は、検出部の検出結果に基づいて、左右何れの手首に装着されているのかを特定し、上記２つの表示部のうち、上記使用者の親指から遠い側の上記表示部において、上記本体部側に画像の下側を表示する制御を行うと共に、使用者の親指に近い側の表示部において、上記本体部側に画像の上側を表示する制御を行ってもよい。
【００８７】
上記の構成によれば、携帯機器を右手首または左手首の何れに装着した場合にも、第１の表示部及び第２の表示部の両方を使用しつつ、両方の表示部において使用者に適切な表示方向で画像を表示させることができる。
【００８８】
本発明の態様９に係る携帯機器は、態様６〜８の何れかにおいて、上記操作ボタンは、上記本体部及び上記バンド部の少なくとも一方の側面の双方に設けられており、上記制御部は、上記検出部の検出結果に基づいて、左右何れの手首に装着されているのか、及び、何れの上記表示部が使用者の親指に近い側に位置しているのかを特定し、特定した結果に応じて、一方の側面における操作ボタンの機能と、他方の側面における操作ボタンの機能とを入れ替える制御を行ってもよい。
【００８９】
上記の構成によれば、携帯機器を使用者の右手首に装着する場合及び左手首に装着する場合の両方において、携帯機器の姿勢を同一としても、操作ボタンの機能に基づく位置及び並び順が同一であるため、使用者は携帯機器の姿勢を気にすることなく装着することが可能であり、使用者の負担が軽減する。また、使用者が右手首及び左手首の何れに携帯機器を装着しても、操作ボタンの機能に基づく位置が同一であるため、操作ボタンの機能を誤って入力することを防ぎ、携帯機器の操作性が向上する。
【００９０】
本発明の態様１０に係る携帯機器は、態様６〜８の何れかにおいて、上記本体部と２つの上記表示部との間のそれぞれにアンテナを備え、上記制御部は、検出部の検出結果に基づいて、左右何れの手首に装着されているのかを特定し、上記アンテナのうち、上記使用者の親指に近い側のアンテナの電源を切る制御を行ってもよい。これにより、表示部からのノイズの影響によるアンテナ性能の劣化を防ぐことができる。
【００９１】
本発明の態様１１に係る携帯機器１０は、態様１〜１０の何れかにおいて、上記操作ボタンは、上記本体部及び上記バンド部の少なくとも一方の側面の双方にそれぞれ複数設けられており、上記本体部又は上記バンド部を挟んで対角上に位置する２つの上記操作ボタンが同一の機能を有していてもよい。
【００９２】
上記の構成によれば、携帯機器を使用者の右手首に装着する場合及び左手首に装着する場合の両方において、携帯機器の姿勢を同一としても操作性が損なわれないので、使用者は携帯機器の姿勢を気にすることなく装着することが可能であり、使用者の負担が軽減する。また、使用者が右手首及び左手首の何れに携帯機器を装着しても、操作ボタンの操作性が損なわれないので、携帯機器の操作性が向上する。
【００９３】
本発明の態様１２に係る携帯機器１０は、態様１〜１１の何れかにおいて、上記本体部にさらに表示部を備えていてもよい。これにより、本体部の表示部にも画像を表示させることができる。
【００９４】
本発明の態様１３に係る携帯機器は、態様１〜９の何れかにおいて、上記操作ボタンは、上記本体部及び上記バンド部の少なくとも一方の側面の双方に設けられており、上記操作ボタンのうち、相対的に使用頻度の高い操作ボタンを一方の側面に配置し、相対的に使用頻度の低い操作ボタンを他方の側面に配置してもよい。
【００９５】
上記の構成によれば、使用者の何れの手首に装着した場合にも、他方の手による使用頻度の高い操作ボタンの操作性を損なわず、携帯機器の操作性が向上する。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９７】
１０  携帯機器
２０  バンド部
３０  本体部
３１  制御部
３３  操作ボタン
３５  加速度センサ（検出部）
３６  アンテナ
３７  表示部
４０  第１の表示部（表示部）
５０  第２の表示部（表示部）
【図１】
2020085736.tif 000003
【図２】
2020085736.tif 000004
【図３】
2020085736.tif 000005
【図４】
2020085736.tif 000006
【図５】
2020085736.tif 000007
【図６】
2020085736.tif 000008
【図７】
2020085736.tif 000009
【図８】
2020085736.tif 000010
【図９】
2020085736.tif 000011
【図１０】
2020085736.tif 000012
【図１１】
2020085736.tif 000013
【図１２】
2020085736.tif 000014
【図１３】
2020085736.tif 000015
【図１４】
2020085736.tif 000016